(57)【要約】【課題】防水仕様の電子装置の筺体から引出して使用される機能部品の引出しケーブルの筺体ケーブル挿通孔に防水構造を備えるケーブル挿通孔の止水部材を設ける。【解決手段】電子装置１の防水仕様の筺体２に対して出入りする引出しケーブル３の筺体ケーブル挿通孔４に取り付けるゴム製のケーブル挿通孔の止水部材１０であり、筺体内側に位置する先細形状の内側部材１１と、ケーブル挿通孔４に密着する孔内部材１２と、筺体外側に位置する肉厚の外側部材１３とを備え、内側部材１１、孔内部材１２及び外側部材１３を貫通し、引出しケーブル３を挿通するケーブル孔１４には止水リング１５を設け、外側部材１３の肉厚部にはケーブル孔１４よりも大きい直径を備えた円周溝１６を設け、円周溝１６の底面には、外側に通じる水抜き孔１７を設け、ケーブル孔１４をケーブル３が移動しても水が筺体２の内部に侵入しないようにしたケーブル挿通孔の止水部材である。【選択図】図３
2014160610.tif 000002
【特許請求の範囲】
【請求項１】
電子装置の防水仕様の筺体に設けられたケーブル挿通孔に取り付けられるケーブル挿通孔の止水部材であり、
前記筺体の内側に位置する内側部材と、
前記内側部材に連続し、前記筺体に設けられたケーブル挿通孔の部分に位置する孔内部材と、
前記孔内部材に連続し、前記筺体の外側に位置する外側部材とを備え、
前記内側部材は、前記ケーブル挿通孔に挿入可能な先端部と、前記ケーブル挿通孔の直径よりも大きい基部とを備え、
前記孔内部材は、前記ケーブル挿通孔の内周面に水密に密着する外周面を備え、
前記外側部材は、前記ケーブル挿通孔よりも大きな外形と所定の肉厚とを備えており、
前記内側部材、前記孔内部材及び前記外側部材を貫通し、ケーブルを挿通するケーブル孔には、前記孔内部材の部分に第１の止水リングが設けられ、前記外側部材の部分に前記ケーブル孔の直径よりも大きい直径を備えた円周溝が設けられ、
前記円周溝の底面には、前記外側部材の外面に連通する水抜き孔が少なくとも１つ設けられていることを特徴とするケーブル挿通孔の止水部材。
【請求項２】
前記第１の止水リングは、前記ケーブル孔の軸線方向に複数個設けられていることを特徴とする請求項１に記載のケーブル挿通孔の止水部材。
【請求項３】
前記外側部材の自由端面には、前記外側部材の外側から前記ケーブル孔側に向かって傾斜するテーパ部が設けられており、前記テーパ部には前記ケーブル孔側から外側に向かって放射状にスリットが設けられていることを特徴とする請求項１又は２に記載のケーブル挿通孔の止水部材。
【請求項４】
防水仕様の筺体と、前記筺体から取り外して使用する機能部品とを備え、前記機能部品が筺体に設けられたケーブル挿通孔を介して前記筺体に対して出入りする引出しケーブルで前記筺体内の回路基板と接続されており、前記筺体の内側には前記ケーブルの巻き取り機構が設けられている電子装置であって、
前記ケーブル挿通孔に請求項１から３の何れか１項に記載のケーブル挿通孔の止水部材を備える電子装置。
【請求項５】
前記機能部品が指紋センサであることを特徴とする請求項４に記載の電子装置。
【発明の詳細な説明】
【技術分野】
【０００１】
本出願は、電子装置から取り外して使用する機能部品と電子装置とを接続するケーブルの、電子装置における挿通孔を止水するケーブル挿通孔の止水部材及び該止水部材を備える電子装置に関する。
【背景技術】
【０００２】
従来、携帯することができる電子装置、例えば携帯電話機には防水構造を備えたものが多い。そして、防水構造を備えた電子機器では一般に、電子機器を構成する下側筐体と上側筐体の接合部に防水用のパッキングが挿入されている。また、防水仕様の携帯電話機で、本体に指紋センサやカメラが搭載されているものでは、指紋センサと本体間、カメラのレンズと本体間にパッキングや防水シール等による防水構造が設けられている。携帯電話機の本体に指紋センサが設けられているものは、例えば特許文献１に記載があり、携帯電話機が防水構造になっているものは、例えば特許文献２に記載がある。
【０００３】
また、近年、携帯電話機よりも画面サイズを大きくした電子装置、例えばスマートフォンやタブレット装置が普及しつつあり、画面サイズが大きいと筺体サイズも大きくなるので、搭載される機能も増える。このようなスマートフォンやタブレット装置も屋外に持ち出されて使用されるので、携帯電話機と同様に防水機能は必須になりつつある。
【０００４】
図１（ａ）は本出願が対象とする電子装置の一形態であるスマートフォン１の一例を、表示面側から見たものであり、図１（ｂ）は図１（ａ）に示されるスマートフォン１を、裏面側から見たものである。以後、電子装置とスマートフォンには同じ符号１を付して説明する。スマートフォン１の中央部にはディスプレイ６があり、上側には受話用のスピーカ７、下側には送話用のマイクロフォン８と操作ボタン９がある。また、スマートフォン１の裏面側には、機能部品として、カメラ４１、指紋センサ４２及び充電端子４３が設けられている。
【先行技術文献】
【特許文献】
【０００５】
【特許文献１】特開２００９−４９５８６号公報
【０００６】
【特許文献２】特開２００８−３０１４４０号公報
【発明の概要】
【発明が解決しようとする課題】
【０００７】
ところが、関連技術における折り畳み式携帯電話機では２つの筺体の回転接続部における防水構造は、防水ケーブルを使用しているので構造が複雑であり、製造、コスト面では不利のため、スマートフォンやタブレット装置の防水構造には採用しにくい。また、図１（ｂ）に示したように、スマートフォン１に指紋センサ４２を設ける場合は、指紋センサ４２は裏面側の筺体に設けられるので、指紋センサ４２が使いづらいという課題がある。
【０００８】
１つの側面では、本出願は、防水仕様の電子装置において、電子装置から取り外して使用される機能部品を電子装置と接続するケーブルの、電子装置における挿通孔を止水するケーブル挿通孔の止水部材を提供することを目的とする。他の側面では、電子装置本体から取り外して使用する機能部品を備え、該機能部品を電子装置本体と接続するケーブルの、電子装置に設けられたケーブル挿通孔を止水するケーブル挿通孔の止水部材を使用した電子装置を提供することも目的とする。
【課題を解決するための手段】
【０００９】
実施形態の一観点によれば、電子装置の防水仕様の筺体に設けられたケーブル挿通孔に取り付けられるケーブル挿通孔の止水部材であり、筺体の内側に位置する内側部材と、内側部材に連続し、筺体に設けられたケーブル挿通孔の部分に位置する孔内部材と、孔内部材に連続し、筺体の外側に位置する外側部材とを備え、内側部材は、ケーブル挿通孔に挿入可能な先端部と、ケーブル挿通孔の直径よりも大きい基部とを備え、孔内部材は、ケーブル挿通孔の内周面に水密に密着する外周面を備え、外側部材は、ケーブル挿通孔よりも大きな外形と所定の肉厚とを備えており、内側部材、孔内部材及び外側部材を貫通し、ケーブルを挿通するケーブル孔には、孔内部材の部分に第１の止水リングが設けられ、外側部材の部分にケーブル孔の直径よりも大きい直径を備えた円周溝が設けられ、円周溝の底面には、外側部材の外面に連通する水抜き孔が少なくとも１つ設けられていることを特徴とするケーブル挿通孔の止水部材が提供される。
【００１０】
実施形態の他の観点によれば、防水仕様の筺体と、筺体から取り外して使用する機能部品とを備え、機能部品が筺体に設けられたケーブル挿通孔を介して筺体に対して出入りするケーブルで筺体内の回路基板と接続されており、筺体の内側にはケーブルの巻き取り機構が設けられている電子装置であって、ケーブル挿通孔に、内側部材と、孔内部材と、外側部材とを備え、内側部材は、ケーブル挿通孔に挿入可能な先端部と、ケーブル挿通孔の直径よりも大きい基部とを備え、孔内部材は、ケーブル挿通孔の内周面に水密に密着する外周面を備え、外側部材は、ケーブル挿通孔よりも大きな外形と所定の肉厚とを備えており、内側部材、孔内部材及び外側部材を貫通し、ケーブルを挿通するケーブル孔には、孔内部材に止水リングが設けられ、外側部材にケーブル孔の直径よりも大きい直径を備えた円周溝が設けられ円周溝の底面には、外側部材の外面に連通する水抜き孔が少なくとも１つ設けられているケーブル挿通孔の止水部材を備える電子装置が提供される。
【図面の簡単な説明】
【００１１】
【図１】（ａ）は本出願が対象とする電子装置の一形態であるスマートフォンの一例の斜視図、（ｂ）は（ａ）に示されるスマートフォンの裏面側を示す斜視図である。
【図２】（ａ）は着脱式の機能部品を備えた電子装置を表面側から見た斜視図、（ｂ）は（ａ）に示される電子装置の上部側を矢印Ａ方向から見た部分斜視図である。
【図３】（ａ）は図２（ａ）に示したスマートフォンの上部側の部分拡大断面図、（ｂ）は（ａ）に示されるケーブル挿通孔の止水部材の斜視図、（ｃ）は（ｂ）に示されるケーブル挿通孔の止水部材を反対側から見た斜視図である。
【図４】（ａ）は図３（ａ）に示されるケーブル挿通孔の止水部材の断面を含む斜視図、（ｂ）は（ａ）に示したケーブル挿通孔の止水部材にケーブルが通された状態を示す斜視図、（ｃ）は（ｂ）のＢ部の部分拡大斜視図、（ｄ）は（ｃ）に示したケーブル挿通孔の止水部材にケーブルが通された状態を示す部分拡大斜視図、（ｅ）はケーブル挿通孔の止水部材の別の実施例を示す部分拡大断面図、（ｆ）は（ｅ）に示したケーブル挿通孔の止水部材にケーブルが通された状態を示す部分拡大断面図である。
【図５】（ａ）はケーブル挿通孔の止水部材の外側部材の一実施例の部分斜視図、（ｂ）は（ａ）に示したケーブル挿通孔の止水部材の外側部材からケーブルが引き出される時の状態を示す部分拡大断面図、（ｃ）は（ａ）に示したケーブル挿通孔の止水部材の外側部材から筺体内にケーブルが引き込まれる時の状態を示す部分拡大断面図である。
【図６】（ａ）は図２に示した機能部品の防水構造を示す分解断面図、（ｂ）は図２に示した機能部品の断面図である。
【発明を実施するための形態】
【００１２】
以下、添付図面を用いて本出願の実施の形態を、具体的な実施例に基づいて詳細に説明する。
【００１３】
図２（ａ）は着脱式の機能部品２０、例えば指紋センサユニット２０を備えた電子装置であるスマートフォン１をディスプレイ６が設けられた側から見たものである。ディスプレイ６はスマートフォン１の中央部にあり、上側には受話用のスピーカ７、下側には送話用のマイクロフォン８と操作ボタン９がある。本出願が対象とするスマートフォン１は防水仕様であり、スマートフォン１の上部から取り外して使用される指紋センサユニット２０も防水仕様となっている。指紋センサユニット２０の防水仕様については後述する。また、指紋センサユニット２０にはスマートフォン１の防水仕様の筺体２（以後単に筺体２と記す）から引出される引出しケーブル３がある。
【００１４】
図２（ｂ）は図２（ａ）に示したスマートフォン１の上部側を矢印Ａ方向から見たものである。スマートフォン１の筺体２の上部には切欠き部２があり、この切欠き部２Ｋに指紋センサユニット２０が嵌めこまれる。指紋センサユニット２０の筺体２１の両側には、バネ等の付勢力により押されると筺体２１内に没入する出没突起２２が設けられている。このため、指紋センサユニット２０を切欠き部２Ｋに嵌め込む時は、この出没突起２２が指紋センサユニット２０の筺体２１内に没入し、指紋センサユニット２０が切欠き部２Ｋに嵌め込まれた時は、出没突起２２が切欠き部２Ｋにある凹部２Ｒに係合する。
【００１５】
指紋センサユニット２０は、スマートフォン１に対して引出しケーブル３（以後単にケーブル３と記す）で接続している。そして、スマートフォン１の筺体２から指紋センサユニット２０を取り外して使用する時には、ケーブル３がスマートフォン１の筺体２から引出される。また、指紋センサユニット２０をスマートフォン１の筺体２の切欠き部２Ｋに戻す時には、ケーブル３は自動的に筺体２の内部に引き込まれる。
【００１６】
ケーブル３は、スマートフォン１の筺体２に設けられたケーブル挿通孔（図３（ａ）参照）を通って移動するが、スマートフォン１の筺体２は防水仕様であるので、本出願では、ケーブル挿通孔にケーブル挿通孔の止水部材１０が取り付けられている。そして、本出願では、ケーブル挿通孔の止水部材１０が次の条件を満たすようにした。
（１）スマートフォン１の筺体２とケーブル挿通孔の止水部材１０の間を止水する
（２）ケーブル挿通孔の止水部材１０とこの部材を移動するケーブル３との間を止水する
（３）防塵／防水をより確実とする
【００１７】
ここで、上記条件（１）〜（３）を満たすケーブル挿通孔の止水部材１０の構造、並びにケーブル挿通孔の止水部材１０を備えたスマートフォン１の構造を図３から図６を用いて説明する。
【００１８】
図３（ａ）は、図２（ａ）に示したスマートフォン１の上部側を部分的に拡大した断面図であり、筺体２の切欠き部２Ｋから指紋センサユニット２０が取り外された状態を示している。筺体２の内部には、ケーブル巻取機構３０があり、そのリール３１にケーブル３が巻きつけられている。ケーブル巻取機構３０には図示を省略するがバネが取り付けられており、このバネはリール３１をケーブル３を巻き取る側に付勢している。電子装置で使用されるケーブル巻取機構３０の構造は公知であるので、ここでは説明を省略する。ケーブル巻取機構３０からは信号取り出し線３２が引き出されており、信号取り出し線３２の自由端部にはコネクタ３３がある。このコネクタ３３は、筺体２の内部に設けられた回路基板５０に実装されたコネクタ５１に接続されている。この構成により、指紋センサユニット２０で検出された信号が回路基板５０に伝えられて処理される。
【００１９】
そして、スマートフォン１の筺体２に設けられたケーブル挿通孔４には、ケーブル挿通孔の止水部材１０が取り付けられている。ケーブル挿通孔の止水部材１０の構造については、図３（ａ）、（ｂ）及び図４（ａ）を用いて詳しく説明する。図３（ｂ）は、図３（ａ）に示されるケーブル挿通孔の止水部材１０を筺体の外側から見た斜視図であり、図３（ｃ）は、図３（ｂ）に示されるケーブル挿通孔の止水部材１０を反対側から見た斜視図である。また、図４（ａ）には図３（ａ）に示されるケーブル用止水部材１０の中心を通る軸線における断面を示してある。
【００２０】
これらの図から分かるように、ケーブル挿通孔の止水部材１０は、内側部材（アンカー部材）１１、孔内部材１２及び外側部材１３を備え、柔軟なゴム材料で形成されている。内側部材１１は筺体２の内側に位置し、ケーブル挿通孔４の直径よりも細い先端部１１Ｔと、ケーブル挿通孔４の直径よりも大きい基部１１Ｂとを備えする。孔内部材１２は、内側部材１１に連続して設けられ、筺体２に設けられたケーブル挿通孔４の部分に位置し、その外周面がケーブル挿通孔４に水を通さないように密着する。外側部材１３は孔内部材１２に連続して設けられ、筺体２の外側に位置し、ケーブル挿通孔４よりも大きな外形と所定の肉厚とを備えている。
【００２１】
また、内側部材１１の基部１１Ｂの筺体２との当接面には、基部１１Ｂと筺体２の間の止水を確実にするための止水リング１５Ｂが設けられている。更に、外側部材１３の、筺体２との当接面には、外側部材１３と筺体２の間の止水を確実にするための止水リング１５Ｃが設けられている。これらの止水リング１５Ｂ、１５Ｃの断面はこの実施例では半円である。
【００２２】
一方、内側部材１１、孔内部材１２及び外側部材１３を貫通して、ケーブル３を挿通するケーブル孔１４には、孔内部材１２の部分に３条の止水リング１５Ａが、所定間隔を隔てて設けられている。そして、これらの止水リング１５Ａの内部には、止水リング１５Ａの変形を容易にするためのエアーリング１８が設けられている。エアーリング１８は止水リング１５Ａの凸部を変形させるための空洞部である。エアーリング１８は、図４（ｃ）に示すように、ケーブル孔１４内にケーブルが入っていない状態では断面が円形であるが、ケーブル孔１４内にケーブルが入っている状態では、図４（ｂ）、（ｄ）に示すように押されて潰れた形状になる。
【００２３】
従来のＯリングを用いて抑え込む構造は、Ｏリング自身がゴム材で充填される構造になっているため、ゴム自身の厚みが大きくなり、ケーブル３を押さえ込むときに干渉させる際の圧力（反力）が強くなる。このため、ケーブル孔１４内をケーブル３が摺動移動しにくい。これに対して、止水リング１５Ａ内にエアーリング１８を設けると、ゴムのみの反力に対して、反力の軽減とエアーリング１８の潰し量の増加に伴う押さえ込みストロークの増加により、ケーブル３を確実に押さえ込んだ状態で摺動させることができる。
【００２４】
なお、止水リング１５Ａの形状は、エアーリング１８を含む断面が半円形状とする以外に、図４（ｂ）に示すように、ケーブル孔１４の内周面から突出する断面が矩形の形状で肉厚の薄い形状とすることができる。このように、止水リング１５Ａの肉厚を薄くしておけば、ケーブル３の移動時に引出しケーブル３の移動方向に止水リング１５Ａが倒れることにより、ケーブル３を確実に押さえ込んだ状態で摺動させることができる。
【００２５】
次に、外側部材１３の構造について説明する。外側部材１３の外形形状は円柱状でなくても良い。外側部材１３にはケーブル孔１４の直径よりも大きい直径を備えた円周溝１６が設けられている。円周溝１６の底面には、外側部材１３の外面に連通する水抜き孔１７が少なくとも１つ設けられている。図５（ａ）には外側部材１３の外面に水抜き孔１７が８個設けられた実施例が示されている。水抜き孔１７の個数を多くすると外側部材１３の強度が低くなるが、適切な数を設けておけば、ケーブル挿通孔の止水部材１０を筺体２のケーブル挿通孔４に取り付ける時の向きを選ぶ必要がなくなり、取り付け作業性が向上する。
【００２６】
また、外側部材１３の自由端面には、外側部材１３の外側からケーブル孔１４側に向かって傾斜するテーパ部１３Ｔが設けられており、テーパ部１３Ｔにはケーブル孔１４側から外側に向かって放射状にスリット１３Ｓが設けられている。この実施例では、スリット１３Ｓとして、スリット長が長いスリット１３ＳＬと短いスリット１３ＳＳの、長さの異なるスリット１３Ｓが交互に設けられている。このように、テーパ部１３Ｔにスリット１３を設けておくと、テーパ部１３Ｔの先端部１３Ｐがケーブルの移動方向に変形することができる。図５（ｅ）は、外側部材１３からケーブル３が引き出される時のテーパ部１３Ｔの先端部１３Ｐの変形を示し、図５（ｃ）は、外側部材１３から筺体２内にケーブル３が引き込まれる時のテーパ部１３Ｔの先端部１３Ｐの変形を示している。
【００２７】
このスリット１３Ｓにより、ケーブル３が筺体２内に引き込まれる時の抵抗を削減しながら、先端部１３Ｐでケーブル３の外周部に付着したごみや水分を濾し取る作業を行う。テーパ部１３Ｔの構造は初期水きり弁とも呼ばれる。そして、スリット長が長いスリット１３ＳＬにより弾性力が大きい部分としてケーブル３の押さえ力の確保を行い、スリット長が短いスリット１３ＳＳの部分でよりケーブルの外周に沿わせることができる。ケーブル３の外周部に付着したごみや水分が先端部１３Ｐで濾し取られ、テーパ部１３Ｔと水抜き孔１７から落下する様子が図５（ｃ）に示される。
【００２８】
最後に、図６を用いて機能部品であり指紋センサユニット２０の一実施例について説明する。図６（ａ）は、図２に示した機能部品２０の筺体２１を上下に分解して示すものである。筺体２１は上側筺体２１Ｕと下側筺体２１Ｌを備えており、内部にはコネクタ２８が実装された回路基板２７を備える。回路基板２７に実装される指紋センサの図示は省略する。指紋センサユニット２０をスマートフォンに接続するケーブル３にはＯリング２３が挿通され、このＯリング２３が上側筺体２１Ｕと下側筺体２１Ｌに設けられたケーブル挿通孔２５の内周部に設けられた環状凹部２６に嵌め込まれる。ケーブル挿通孔２５以外の上側筺体２１Ｕと下側筺体２１Ｌとの接合部には防水シール２４が取り付けられて上側筺体２１Ｕと下側筺体２１Ｌとが接合される。図６（ｂ）は指紋センサユニット２０の一実施例の断面図である。
【００２９】
このように、防水構造を備えた筺体から機能部品を引き出す構造のスマートフォンに、以上説明した実施例のケーブル挿通孔の止水部材を用いることにより、スマートフォンの製品品質の向上、作業性の向上、及びそれに伴うコストの低減が可能となる。また、以上の実施例では電子装置としてスマートフォンを説明したが、本出願のケーブル挿通孔の止水部材は、タブレット装置や、携帯型で防水仕様の筺体を備える電子装置に広く適用することができる。
【００３０】
なお、以上説明した実施例では、機能部品として指紋センサユニットを説明したが、機能部品としてはその他に、生体信号を検出して脈拍や血圧を測る生体信号検出センサユニット等が考えられる。
【００３１】
以上、本出願を特にその好ましい実施の形態を参照して詳細に説明した。本出願の容易な理解のために、本出願の具体的な形態を以下に付記する。
【００３２】
（付記１）  電子装置の防水仕様の筺体に設けられたケーブル挿通孔に取り付けられるケーブル挿通孔の止水部材であり、
前記筺体の内側に位置する内側部材と
前記内側部材に連続し、前記筺体に設けられたケーブル挿通孔の部分に位置する孔内部材と、
前記孔内部材に連続し、前記筺体の外側に位置する外側部材とを備え、
前記内側部材は、前記ケーブル挿通孔の直径よりも細い先端部と、前記ケーブル挿通孔の直径よりも大きい基部とを備え、
前記孔内部材は、前記ケーブル挿通孔の内周面に水密に密着する外周面を備え、
前記外側部材は、前記ケーブル挿通孔よりも大きな外形と所定の肉厚とを備えており、
前記内側部材、前記孔内部材及び前記外側部材を貫通し、ケーブルを挿通するケーブル孔には、前記孔内部材の部分に第１の止水リングが設けられ、前記外側部材の部分に前記ケーブル孔の直径よりも大きい直径を備えた円周溝が設けられ、
前記円周溝の底面には、前記外側部材の外面に連通する水抜き孔が少なくとも１つ設けられていることを特徴とするケーブル挿通孔の止水部材。
（付記２）  前記ケーブル挿通孔の止水部材は柔軟なゴム材料で形成されていることを特徴とする付記１に記載のケーブル挿通孔の止水部材。
（付記３）  前記内側部材には、前記基部の前記筺体との当接面に第２の止水リングが設けられており、
前記外側部材の、前記筺体との当接面に第３の止水リングが設けられていることを特徴とする付記１又は２に記載のケーブル挿通孔の止水部材。
（付記４）  前記第１の止水リングは、前記ケーブル孔の軸線方向に複数個設けられていることを特徴とする付記１から３の何れかに記載のケーブル挿通孔の止水部材。
（付記５）  前記第１の止水リングは、前記ケーブル孔の内周面から突出する断面が半円状の形状をしており、前記第１の止水リングの内側には、前記第１の止水リングの前記ケーブル孔からの高さを変更するエアーリングが設けられていることを特徴とする付記４に記載のケーブル挿通孔の止水部材。
【００３３】
（付記６）  前記第１の止水リングは前記ケーブル孔の内周面から突出する断面が矩形の形状をしており、前記引出しケーブルの移動時に前記引出しケーブルの移動方向に倒れることを特徴とする付記４に記載のケーブル挿通孔の止水部材。
（付記７）  前記外側部材の自由端面には、前記外側部材の外側から前記ケーブル孔側に向かって傾斜するテーパ部が設けられており、前記テーパ部には前記ケーブル孔側から外側に向かって放射状にスリットが設けられていることを特徴とする付記１から６の何れかに記載のケーブル挿通孔の止水部材。
（付記８）  前記スリットとして、スリット長が異なるものが交互に設けられていることを特徴とする付記７に記載のケーブル挿通孔の止水部材。
（付記９）  防水仕様の筺体と、前記筺体から取り外して使用する機能部品とを備え、前記機能部品が前記筺体に設けられたケーブル挿通孔を介して前記筺体に対して出入りするケーブルで前記筺体内の回路基板と接続されており、前記筺体の内側には前記ケーブルの巻き取り機構が設けられている電子装置であって、
前記ケーブル挿通孔に付記１から８の何れかに記載のケーブル挿通孔の止水部材を備える電子装置。
（付記１０）  前記機能部品が指紋センサであることを特徴とする付記９に記載の電子装置。
【００３４】
（付記１１）  前記機能部品の筺体が防水仕様になっていることを特徴とする付記９又は１０に記載の電子装置。
【符号の説明】
【００３５】
１    電子装置（スマートフォン）
２    防水仕様の筺体
３    引出しケーブル
４    ケーブル挿通孔
５    回路基板
１０    ケーブル挿通孔の止水部材
１１    内側部材
１２    孔内部材
１３    外側部材
１３Ｓ    スリット
１３Ｔ    テーパ部
１５，１５Ａ，１５Ｂ    止水リング
１７    水抜き孔
２０    機能部品（指紋センサユニット）
【図１】
2014160610.tif 000003
【図２】
2014160610.tif 000004
【図３】
2014160610.tif 000005
【図４】
2014160610.tif 000006
【図５】
2014160610.tif 000007
【図６】
2014160610.tif 000008